(57)【特許請求の範囲】
【請求項１】
移動通信端末機がＰＳ網にＰＳ呼接続する方法であって、
前記移動通信端末機が前記ＰＳ網に前記ＰＳ呼接続される時に、前記ＰＳ網のＤＮＳ（Ｄｏｍａｉｎ  Ｎａｍｅ  Ｓｙｓｔｅｍ）サーバーへの接続可否よって前記ＰＳ呼接続を維持するか否かを決定することを特徴とする、移動通信端末機のＰＳ呼接続方法。
【請求項２】
前記ＰＳ呼接続方法は、
ａ）前記ＰＳ呼接続を試みる段階と、
ｂ）前記ＰＳ呼接続時に、前記ＰＳ網からＤＮＳサーバー情報を受信する段階と、
ｃ）前記ＤＮＳサーバー情報の有効性を判断する段階と、
ｄ）前記ＤＮＳサーバー情報が有効でない場合、前記ＰＳ呼接続を解除する段階と、を含むことを特徴とする、請求項１に記載の移動通信端末機のＰＳ呼接続方法。
【請求項３】
前記ＤＮＳサーバー情報は、前記ＤＮＳサーバーのＩＰアドレスであることを特徴とする、請求項２に記載の移動通信端末機のＰＳ呼接続方法。
【請求項４】
前記ｃ）段階は、
ｃ−１）前記移動通信端末機が前記ＩＰアドレスを用いて前記ＤＮＳサーバーへの接続を試みる段階と、
ｃ−２）前記接続に成功すると前記ＤＮＳサーバー情報を有効なものと判断し、そうでないと前記ＤＮＳサーバー情報を有効でないものと判断する段階と、
を含むことを特徴とする、請求項３に記載の移動通信端末機のＰＳ呼接続方法。
【請求項５】
前記ｃ−１）段階は、
前記移動通信端末機が、前記ＤＮＳサーバーの５３番ポートにＴＣＰ接続を試みることを特徴とする、請求項４に記載の移動通信端末機のＰＳ呼接続方法。
【請求項６】
前記ｃ）段階は、
ｃ−３）前記移動通信端末機が前記ＴＣＰ接続に成功すると前記ＴＣＰ接続を解除する段階をさらに含むことを特徴とする、請求項５に記載の移動通信端末機のＰＳ呼接続方法。
【請求項７】
ＰＳ網にＰＳ呼接続をする無線通信モジュールと、
前記無線通信モジュールを制御する制御部と、を備えてなり、
前記制御部は、前記無線通信モジュールが前記ＰＳ網に前記ＰＳ呼接続する時に、前記ＰＳ網のＤＮＳサーバーへの接続可否によって前記無線通信モジュールの前記ＰＳ呼接続を維持するか否か決定することを特徴とする、移動通信端末機。
【請求項８】
前記制御部は、
前記無線通信モジュールが前記ＰＳ呼接続を試み、
前記無線通信モジュールが前記ＰＳ呼接続時に前記ＰＳ網からＤＮＳ（Ｄｏｍａｉｎ  Ｎａｍｅ  Ｓｙｓｔｅｍ）サーバー情報を受信し、
前記ＤＮＳサーバー情報の有効性を判断し、
前記ＤＮＳサーバー情報が有効でない場合、前記ＰＳ呼接続を解除するように制御することを特徴とする、請求項７に記載の移動通信端末機。
【請求項９】
前記ＤＮＳサーバー情報は、前記ＤＮＳサーバーのＩＰアドレスであることを特徴とする、請求項８に記載の移動通信端末機。
【請求項１０】
前記制御部は、
前記無線通信モジュールが前記ＩＰアドレスを用いて前記ＤＮＳサーバーへの接続を試みるように制御し、
前記接続に成功すると前記ＤＮＳサーバー情報を有効なものと判断し、そうでないと前記ＤＮＳサーバー情報を有効でないものと判断することを特徴とする、請求項９に記載の移動通信端末機。
【請求項１１】
前記無線通信モジュールは、前記ＤＮＳサーバーの５３番ポートにＴＣＰ接続を試みることを特徴とする、請求項１０に記載の移動通信端末機。
【請求項１２】
前記制御部は、
前記無線通信モジュールが前記ＴＣＰ接続に成功すると前記ＴＣＰ接続を解除するように制御することを特徴とする、請求項１１に記載の移動通信端末機。
【請求項１３】
移動通信端末機と、
前記移動通信端末機のためのＰＳデータサービス支援ノードと、
前記ＰＳデータサービス支援ノードのためのＤＮＳサーバーと、を含み、
前記移動通信端末機は、前記ＰＳデータサービス支援ノードに前記ＰＳ呼接続する時、前記ＤＮＳサーバーへの接続可否によって前記ＰＳ呼接続を維持するか否かを決定することを特徴とする、移動通信システム。
【請求項１４】
前記移動通信端末機は、
前記ＰＳデータサービス支援ノードに前記ＰＳ呼接続を試み、前記ＰＳ呼接続時に前記ＰＳデータサービス支援ノードから前記ＤＮＳサーバーの情報を受信し、前記ＤＮＳサーバー情報の有効性を判断し、前記ＤＮＳサーバー情報が有効でない場合に前記ＰＳ呼接続を解除することを特徴とする、請求項１３に記載の移動通信システム。
【請求項１５】
前記ＤＮＳサーバー情報は、前記ＤＮＳサーバーのＩＰアドレスであることを特徴とする、請求項１４に記載の移動通信システム。
【請求項１６】
前記移動通信端末機は、
前記ＩＰアドレスを用いて前記ＤＮＳサーバーへの接続を試み、前記接続に成功すると前記ＤＮＳサーバー情報を有効なものと判断し、そうでないと前記ＤＮＳサーバー情報を有効でないものと判断することを特徴とする、請求項１５に記載の移動通信システム。
【請求項１７】
前記移動通信端末機は、
前記ＤＮＳサーバーの５３番ポートにＴＣＰ接続を試みることを特徴とする、請求項１５に記載の移動通信システム。
【請求項１８】
前記移動通信端末機は、
前記ＴＣＰ接続に成功すると、前記ＴＣＰ接続を解除することを特徴とする、請求項１６に記載の移動通信システム。
【発明の詳細な説明】
【技術分野】
【０００１】
本発明は、移動通信に係り、特に、移動通信システムにおいてパケット交換データサービス（Ｐａｃｋｅｔ  Ｓｗｉｔｃｈｅｄ  Ｄａｔａ  Ｓｅｒｖｉｃｅ）のためのＰＳ呼（Ｐａｃｋｅｔ  Ｓｗｉｔｃｈｅｄ  Ｃａｌｌ）を設定する方法に関するものである。
【背景技術】
【０００２】
近年、情報通信分野の目覚ましい発展に伴う情報及び通信環境の急激な変化によって、移動通信端末機は現代社会の必需品のようになってきた。このような移動通信端末機の底辺拡大によるユーザーの欲求増加に応じて、移動通信端末機には一般の音声通話機能に加えてインターネット接続機能も提供されるに至った。
【０００３】
一般に、２世代以上の移動通信網では、パケット交換データサービスを提供することによって、移動通信端末機が移動通信網を通じてインターネットに接続することが可能である。次に、従来の移動通信端末機が移動通信網を通じてインターネットに接続する過程を簡略に説明する。
【０００４】
まず、移動通信端末機がパケット交換データサービス網にＰＳ呼接続を要請する。
【０００５】
このＰＳ呼接続要請がパケット交換データサービス網に受け入れられ、当該移動通信端末機がパケット交換データサービス網とＰＳ呼接続されると、該移動通信端末機は、当該パケット交換データサービス網からそのパケット交換データサービス網を担当するＤＮＳサーバーのＩＰアドレスを受信する。
【発明の開示】
【発明が解決しようとする課題】
【０００６】
しかしながら、無線転送上のノイズのようなエラーによって誤ったＩＰアドレスが移動通信端末機に転送される、または、ＤＮＳサーバーが誤作動するなどの理由で、移動通信端末機は、ＰＳ呼が接続されているにもかかわらず、ＤＮＳサーバーに接続できない場合が発生する。
【０００７】
このように、移動通信端末機が、インターネット接続のためにＰＳ呼が接続されているにもかかわらず、ＤＮＳサーバーに接続できないがためにインターネット接続ができない場合、接続されたＰＳ呼は資源の浪費といえる。
【０００８】
本発明は上記の問題点を解決するためのもので、その目的は、移動通信端末機が、インターネット接続のためにＰＳ呼接続がされているにもかかわらず、いかなる理由でＤＮＳサーバーに接続できない場合に発生しうるＰＳ呼の資源浪費を低減できる移動通信システムでのＰＳ呼設定方法を提供することにある。
【課題を解決するための手段】
【０００９】
上記目的を達成するために、本発明は、移動通信端末機がＰＳ網にＰＳ呼接続する方法において、前記移動通信端末機が前記ＰＳ網に前記ＰＳ呼接続される時に、前記ＰＳ網のＤＮＳ（Ｄｏｍａｉｎ  Ｎａｍｅ  Ｓｙｓｔｅｍ）サーバーへの接続可否よって前記ＰＳ呼接続を維持するか否かを決定することを特徴とする移動通信端末機のＰＳ呼接続方法を提供する。
【００１０】
また、上記目的を達成するために、本発明は、ＰＳ網にＰＳ呼接続をする無線通信モジュールと、前記無線通信モジュールを制御する制御部と、を備えてなり、前記制御部は、前記無線通信モジュールが前記ＰＳ網に前記ＰＳ呼接続する時に、前記ＰＳ網のＤＮＳサーバーへの接続可否によって前記無線通信モジュールの前記ＰＳ呼接続を維持するか否か決定することを特徴とする移動通信端末機を提供する。
【００１１】
また、上記目的を達成するために、本発明は、移動通信端末機と、前記移動通信端末機のためのＰＳデータサービス支援ノードと、前記ＰＳデータサービス支援ノードのためのＤＮＳサーバーと、を含み、前記移動通信端末機は、前記ＰＳデータサービス支援ノードに前記ＰＳ呼接続する時、前記ＤＮＳサーバーへの接続可否によって前記ＰＳ呼接続を維持するか否かを決定することを特徴とする移動通信システムを提供する。
【００１２】
上記目的を達成するために、本発明は、例えば、以下の手段を提供する。
（項目１）
移動通信端末機がＰＳ網にＰＳ呼接続する方法であって、
上記移動通信端末機が上記ＰＳ網に上記ＰＳ呼接続される時に、上記ＰＳ網のＤＮＳ（Ｄｏｍａｉｎ  Ｎａｍｅ  Ｓｙｓｔｅｍ）サーバーへの接続可否よって上記ＰＳ呼接続を維持するか否かを決定することを特徴とする、移動通信端末機のＰＳ呼接続方法。
（項目２）
上記ＰＳ呼接続方法は、
ａ）上記ＰＳ呼接続を試みる段階と、
ｂ）上記ＰＳ呼接続時に、上記ＰＳ網からＤＮＳサーバー情報を受信する段階と、
ｃ）上記ＤＮＳサーバー情報の有効性を判断する段階と、
ｄ）上記ＤＮＳサーバー情報が有効でない場合、上記ＰＳ呼接続を解除する段階と、を含むことを特徴とする、項目１に記載の移動通信端末機のＰＳ呼接続方法。
（項目３）
上記ＤＮＳサーバー情報は、上記ＤＮＳサーバーのＩＰアドレスであることを特徴とする、項目２に記載の移動通信端末機のＰＳ呼接続方法。
（項目４）
上記ｃ）段階は、
ｃ−１）上記移動通信端末機が上記ＩＰアドレスを用いて上記ＤＮＳサーバーへの接続を試みる段階と、
ｃ−２）上記接続に成功すると上記ＤＮＳサーバー情報を有効なものと判断し、そうでないと上記ＤＮＳサーバー情報を有効でないものと判断する段階と、
を含むことを特徴とする、項目３に記載の移動通信端末機のＰＳ呼接続方法。
（項目５）
上記ｃ−１）段階は、
上記移動通信端末機が、上記ＤＮＳサーバーの５３番ポートにＴＣＰ接続を試みることを特徴とする、項目４に記載の移動通信端末機のＰＳ呼接続方法。
（項目６）
上記ｃ）段階は、
ｃ−３）上記移動通信端末機が上記ＴＣＰ接続に成功すると上記ＴＣＰ接続を解除する段階をさらに含むことを特徴とする、項目５に記載の移動通信端末機のＰＳ呼接続方法。
（項目７）
ＰＳ網にＰＳ呼接続をする無線通信モジュールと、
上記無線通信モジュールを制御する制御部と、を備えてなり、
上記制御部は、上記無線通信モジュールが上記ＰＳ網に上記ＰＳ呼接続する時に、上記ＰＳ網のＤＮＳサーバーへの接続可否によって上記無線通信モジュールの上記ＰＳ呼接続を維持するか否か決定することを特徴とする、移動通信端末機。
（項目８）
上記制御部は、
上記無線通信モジュールが上記ＰＳ呼接続を試み、
上記無線通信モジュールが上記ＰＳ呼接続時に上記ＰＳ網からＤＮＳ（Ｄｏｍａｉｎ  Ｎａｍｅ  Ｓｙｓｔｅｍ）サーバー情報を受信し、
上記ＤＮＳサーバー情報の有効性を判断し、
上記ＤＮＳサーバー情報が有効でない場合、上記ＰＳ呼接続を解除するように制御することを特徴とする、項目７に記載の移動通信端末機。
（項目９）
上記ＤＮＳサーバー情報は、上記ＤＮＳサーバーのＩＰアドレスであることを特徴とする、項目８に記載の移動通信端末機。
（項目１０）
上記制御部は、
上記無線通信モジュールが上記ＩＰアドレスを用いて上記ＤＮＳサーバーへの接続を試みるように制御し、
上記接続に成功すると上記ＤＮＳサーバー情報を有効なものと判断し、そうでないと上記ＤＮＳサーバー情報を有効でないものと判断することを特徴とする、項目９に記載の移動通信端末機。
（項目１１）
上記無線通信モジュールは、上記ＤＮＳサーバーの５３番ポートにＴＣＰ接続を試みることを特徴とする、項目１０に記載の移動通信端末機。
（項目１２）
上記制御部は、
上記無線通信モジュールが上記ＴＣＰ接続に成功すると上記ＴＣＰ接続を解除するように制御することを特徴とする、項目１１に記載の移動通信端末機。
（項目１３）
移動通信端末機と、
上記移動通信端末機のためのＰＳデータサービス支援ノードと、
上記ＰＳデータサービス支援ノードのためのＤＮＳサーバーと、を含み、
上記移動通信端末機は、上記ＰＳデータサービス支援ノードに上記ＰＳ呼接続する時、上記ＤＮＳサーバーへの接続可否によって上記ＰＳ呼接続を維持するか否かを決定することを特徴とする、移動通信システム。
（項目１４）
上記移動通信端末機は、
上記ＰＳデータサービス支援ノードに上記ＰＳ呼接続を試み、上記ＰＳ呼接続時に上記ＰＳデータサービス支援ノードから上記ＤＮＳサーバーの情報を受信し、上記ＤＮＳサーバー情報の有効性を判断し、上記ＤＮＳサーバー情報が有効でない場合に上記ＰＳ呼接続を解除することを特徴とする、項目１３に記載の移動通信システム。
（項目１５）
上記ＤＮＳサーバー情報は、上記ＤＮＳサーバーのＩＰアドレスであることを特徴とする、項目１４に記載の移動通信システム。
（項目１６）
上記移動通信端末機は、
上記ＩＰアドレスを用いて上記ＤＮＳサーバーへの接続を試み、上記接続に成功すると上記ＤＮＳサーバー情報を有効なものと判断し、そうでないと上記ＤＮＳサーバー情報を有効でないものと判断することを特徴とする、項目１５に記載の移動通信システム。
（項目１７）
上記移動通信端末機は、
上記ＤＮＳサーバーの５３番ポートにＴＣＰ接続を試みることを特徴とする、項目１５に記載の移動通信システム。
（項目１８）
上記移動通信端末機は、
上記ＴＣＰ接続に成功すると、上記ＴＣＰ接続を解除することを特徴とする、項目１６に記載の移動通信システム。
【発明の効果】
【００１３】
本発明によれば、移動通信端末機がインターネット接続のためにＰＳ呼接続されているにもかかわらず、何らかの理由でＤＮＳサーバーに接続できない場合に発生しうるＰＳ呼の資源浪費を效果的に低減することが可能になる。
【発明を実施するための最良の形態】
【００１４】
以下、添付の図面を参照しつつ、本発明の好適な実施例について説明する。本発明は、パケット交換データサービスが可能であればＣＤＭＡ系列及びＧＳＭ（ＧＰＲＳ）系列、または第２、２．５、３、３．５及び４世代を問わず適用可能である。したがって、本発明の範囲が以下の説明に限定されないことに留意されたい。
【００１５】
図１は、本発明の一実施例による移動通信システムを示す概略ブロック図である。
【００１６】
図１に示すように、本発明の一実施例による移動通信システムは、大きく、移動通信端末機１００及びＰＳ網３００を備える。
【００１７】
まず、移動通信端末機１００について説明する。移動通信端末機１００は、無線通信モジュール１３０及び制御部１５０を備えてなる。もちろん、本発明による移動通信端末機１００には、前述した構成要素の外にも種々の付加的構成要素（例えば、キー入力モジュール（図示せず）、ディスプレイモジュール（図示せず）、メモリモジュール（図示せず）等）が備えられるが、これらの付加的構成要素は本発明と直接的な関連がないので、本発明の簡明な説明のためにその説明は省略するものとする。
【００１８】
無線通信モジュール１３０は、移動通信端末機１００が外部と移動通信できるようにする。特に、無線通信モジュール１３０は、移動通信端末機１００がパケット交換データ通信をできるようにする。
【００１９】
そして、制御部１５０は、無線通信モジュール１３０を含む端末機全体を制御する役割を担う。特に、制御部１５０は、移動通信端末機１００が後述される本発明によるＰＳ呼設定方法を具現できるようにする。
【００２０】
一方、本発明による移動通信システムのＰＳ網３００について説明すると、ＰＳ網３００は、基地局（ｂａｓｅ  ｓｔａｔｉｏｎ）３１０、ＰＳデータサービス支援ノード（ＰＳ  ｄａｔａ  ｓｅｒｖｉｃｅ  ｓｕｐｐｏｒｔｉｎｇ  ｎｏｄｅ）３３０、及びＤＮＳ（Ｄｏｍａｉｎ  Ｎａｍｅ  Ｓｙｓｔｅｍ）サーバー３３０を備えて構成される。
【００２１】
基地局３１０は、移動通信端末機１００とＰＳデータサービス支援ノード３３０間の無線通信を中継する役割を担う。
【００２２】
ＰＳデータサービス支援ノード３３０は、移動通信端末機１００とＰＳ網間のデータパケット伝達を担当するノードである。ＧＰＲＳ（Ｇｅｎｅｒａｌ  Ｐａｃｋｅｔ  Ｒａｄｉｐ  Ｓｅｒｖｉｃｅ）システムでは、ＰＳデータサービス支援ノード３３０の役割をＳＧＳＮ（Ｓｅｒｖｉｎｇ  ＧＰＲＳ  Ｓｕｐｐｏｒｔ  Ｎｏｄｅ）が担当し、ＣＤＭＡシステムではＰＤＳＮ（Ｐａｃｋｅｔ  Ｄａｔａ  Ｓｅｒｖｉｎｇ  Ｎｏｄｅ）が担当する。したがって、各種移動通信系列及び通信世代において移動通信端末機と網間のパケット伝達を担当するノードは、その名前にかかわらずＰＳデータサービス支援ノード３３０に含まれることに留意しなければならない。
【００２３】
そして、ＤＮＳサーバー３５０は、インターネット上のホストまたはドメインネームをＩＰアドレスに変換する役割を担う。これにより、使用者が特定ホストまたはドメインネームを知っている場合、この特定ホストまたはドメインのＩＰアドレスを知っていなくても当該特定ホストまたはドメインに接続可能になる。したがって、ＤＮＳは、使用者のインターネット使用をより便利にする。
【００２４】
次に、上記のように構成された移動通信システムにおける本発明によるＰＳ呼設定方法を、図２を参照しつつ説明する。
【００２５】
図２は、本発明による移動通信システムでのＰＳ呼設定方法を示す流れ図である。
【００２６】
図２に示すように、移動通信端末機１００は、ＰＳデータサービス支援ノード３３０にＰＳ呼接続を要請する（Ｓ１０）。
【００２７】
この要請に応じて、ＰＳデータサービス支援ノード３３０は接続許可メッセージ（ｃｏｎｎｅｃｔｉｏｎ  ａｄｍｉｓｓｉｏｎ  ｍｅｓｓａｇｅ）及びＰＳ呼接続情報（ＰＳ  ｃａｌｌ  ｃｏｎｎｅｃｔｏｎ  ｉｎｆｏｒｍａｔｉｏｎ）を移動通信端末機１００に送る（Ｓ２０）。このＰＳ呼接続情報は、当該移動通信端末機用ＩＰアドレス、ＰＳデータサービス支援ノード３３０を担当するＤＮＳサーバーの情報を含む。このＤＮＳサーバー情報は、ＤＮＳサーバーのＩＰアドレスを含む。
【００２８】
続いて、移動通信端末機１００は、ＤＮＳサーバー３５０のＩＰアドレスを用いてＤＮＳサーバーへの接続を試みる（Ｓ３０）。このとき、移動通信端末機は、好ましくは、ＤＮＳサーバーの多数のポートのうち５３ポートにＴＣＰ接続（Ｔｒａｎｓｍｉｓｓｉｏｎ  Ｃｏｎｔｒｏｌ  Ｐｒｏｔｏｃｏｌ  Ｃｏｎｎｅｃｔｉｏｎ）を試みる。
【００２９】
その後、転送上のノイズのようなエラーで誤ったＤＮＳサーバーのＩＰアドレスが移動通信端末機に転送される、あるいは、ＤＮＳサーバーが誤作動しているなどの理由でＴＣＰ接続に失敗したか否か確認する（Ｓ４０）。この結果、ＴＣＰ接続に失敗した場合には、移動通信端末機１００はＰＳデータサービス支援ノード３３０にＰＳ呼接続解除（ｄｉｓｃｏｎｎｅｃｔｉｏｎ）を要請する（Ｓ５０）。
【００３０】
この要請に応じて、ＰＳデータサービス支援ノード３３０はＰＳ呼接続解除を許可するメッセージを移動通信端末機１００に送信する（Ｓ６０）。これによって、ＰＳ呼接続が解除される。
【００３１】
一方、Ｓ４０の確認結果、ＴＣＰ接続に成功した場合は、移動通信端末機１００はＰＳ呼接続を維持する（Ｓ８０）。必要によって、移動通信端末機１００はＤＮＳサーバー３５０とのＴＣＰ接続を解除した後に（Ｓ７０）、ＰＳ呼接続を維持しても良い。
【００３２】
本発明の課題は、移動通信システムにおいてパケット交換データサービス（Ｐａｃｋｅｔ  Ｓｗｉｔｃｈｅｄ  Ｄａｔａ  Ｓｅｒｖｉｃｅ）のためのＰＳ呼（Ｐａｃｋｅｔ  Ｓｗｉｔｃｈｅｄ  Ｃａｌｌ）を設定する方法を提供することである。
【００３３】
移動通信端末機がＰＳ網にＰＳ呼接続する方法において、前記移動通信端末機が前記ＰＳ網に前記ＰＳ呼接続する時、前記ＰＳ網のＤＮＳ（Ｄｏｍａｉｎ  Ｎａｍｅ  Ｓｙｓｔｅｍ）サーバーへの接続可否によって前記ＰＳ呼接続を維持するか否かを決定することを特徴とする移動通信端末機のＰＳ呼接続方法を提供する。本発明によれば、移動通信端末機がインターネット接続のためにＰＳ呼接続されているにもかかわらず、何らかの理由でＤＮＳサーバーに接続できない場合に発生しうるＰＳ呼の資源浪費を效果的に低減することが可能になる。
【００３４】
本発明は、本発明の精神及び必須特徴を逸脱しない範囲内で様々な特定形態に具体化できることは、当業者にとっては自明である。したがって、上記具体例は制限的なものではなく例示的なものとして解釈しなければならない。本発明の範囲は、添付の請求範囲の合理的解析によって定められなければならなく、本発明の等価的範囲内でのあらゆる変更は本発明の範囲に含まれる。
【００３５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００３６】
【図１】本発明の一実施例による移動通信システムを示す概略ブロック図である。
【図２】本発明による移動通信システムでのＰＳ呼設定方法を示す流れ図である。
【図１】
0004699335.tif 000002
【図２】
0004699335.tif 000003